(57)【要約】  照明製品を再利用可能にパッケージするための装置及び方法は、電気ランプを収容する容器本体と、その容器への封止及び非封止を反復して行うことが可能なカバーとを設けることを含む。具体例において、ランプは、容器本体の底部内面上の、ランプの位置決め構造部によって実質的に容器本体内部に設置された、ＡＣ  ＬＥＤランプとすることができる。いくつかの実施形態では、蓋が容器本体に取り付けられたとき、ランプをランプの位置決め構造部内に確実に保持するように構成された突出構造部を蓋の内面に設けてもよい。種々の実施形態において、容器の本体及びの容器の蓋は、キットとして販売することのできる保護パッケージを構成することができ有利であり、更に、例えばランプのパッケージに関連する、環境上の設置面積を実質的に低減することが可能な、耐久性が高く、再利用が可能な汎用の容器システムを提供することができる。
2013503453.tif 000002
【特許請求の範囲】
【請求項１】
電気式のランプと、
容器本体に着脱可能に結合されるように構成された蓋と、
前記ランプを収容するために大きさ及び形状が定められた開口部を一端に有する容器本体と、
を備え、
前記容器本体と前記蓋は、前記蓋が前記容器本体に固定されたときに、前記容器本体内部において、実質的に一定の向きに前記ランプを合わせて維持するように連携する、ランプ用の再利用可能なパッケージのシステム。
【請求項２】
前記蓋は、前記容器本体に前記蓋が固定されたときに、前記容器本体内部での前記ランプの垂直方向の位置を実質的に一定にするように、前記蓋の内面から延びている、上端部の位置決め構造部を備える、請求項１に記載のシステム。
【請求項３】
前記ランプの電気端子の位置を定めるように、前記容器本体の底部壁の内面から延びている、下端部の位置決め構造部を更に備える、請求項１に記載のシステム。
【請求項４】
前記容器本体は、前記蓋が前記容器本体に固定されたときに、中に収容されている前記ランプを容易に目視検査できるように、透明な材料からなる、請求項１に記載のシステム。
【請求項５】
前記蓋の外面は、複数の前記システムを上下に積み重ねることが可能なように、前記蓋の底部外面上の対応する環状の構造部を位置合わせする環状のチャネルを備えるように形成されている、請求項１に記載のシステム。
【請求項６】
前記容器の生分解の加速を促進する添加物を更に含んでいる、請求項１に記載のシステム。
【請求項７】
電気式の前記ランプは、電気的刺激に応答して点灯する発光ダイオード（ＬＥＤ）ランプからなる、請求項１に記載のシステム。
【請求項８】
前記電気的刺激は、正弦波電圧の波形を含む、請求項７に記載のシステム。
【請求項９】
電気式の前記ランプは、ＧＵ１０フォームファクタを有するランプを備える、請求項１に記載のシステム。
【請求項１０】
電気式の前記ランプは、ＰＡＲ３０フォームファクタを有するランプを備える、請求項１に記載のシステム。
【請求項１１】
ランプと、
蓋と、
前記蓋と着脱できるように結合され、前記蓋が前記容器本体に固定されたときに、前記容器本体内に、前記ランプを、実質的に一定の位置にしっかりと収容するように構成された容器本体と、
を備えるキット。
【請求項１２】
電力源に接続することによって前記ランプを動作させるための一連の手引き書を更に備える、請求項１１に記載のキット。
【請求項１３】
前記ランプが取り外された後に前記容器を再利用するための一連の手引き書を更に備える、請求項１１に記載のキット。
【請求項１４】
前記キットは、前記容器本体に前記蓋が固定されたときに、前記容器本体内で前記ランプの垂直方向の位置を実質的に一定にするように、前記蓋の内面から延びている、上端部の位置決め構造部を備える、請求項１１に記載のキット。
【請求項１５】
前記ランプの電気端子の位置を定めるために、前記容器本体の底部壁の内面から延びている、下端部の位置決め構造部を更に備える、請求項１１に記載のキット。
【請求項１６】
前記容器本体は、前記蓋を前記容器本体から取り外さずに中に収容されている前記ランプを容易に目視検査できるように、透明な材料からなる、請求項１１に記載のキット。
【請求項１７】
前記蓋は、複数の前記システムを上下に積み重ねることが可能なように、前記蓋の底部外面上の対応する環状突起を位置合わせする環状のチャネルを外面に形成されている、請求項１１に記載のキット。
【請求項１８】
ライトのパッケージの容器をリサイクルする方法であって、
ランプを設けることと、
蓋を設けることと、
開いた端部及び前記容器の底部内面から前記容器の内部方向に突出してる、底部の位置決め構造部を備えた容器本体を設けることと、
前記底部の位置決め構造部に合わせて前記ランプの端子を位置決めすることと、
前記蓋を前記容器本体の前記開いた端部に固定することによって、前記容器本体内部において、前記ランプの向きを固定することと、
を含む方法。
【請求項１９】
前記容器本体の前記開いた端部に前記蓋を固定することは、前記容器本体に対して前記蓋を回転させ、前記蓋の実質的に水平な表面を前記容器本体の実質的に水平な表面と係合させることを含む、請求項１８に記載の方法。
【請求項２０】
前記容器から、設けられた前記ランプを取り外すことと、
前記ランプを水銀を含有するランプに置き換えることと、
前記容器が有害廃棄物収集施設に引き渡されるまで、前記容器本体に前記蓋を固定して、水銀を含有するランプを保護することと、
を更に含む、請求項１８に記載の方法。
【発明の詳細な説明】
【技術分野】
【０００１】
種々の実施形態は、全般的に、発光ダイオード（ＬＥＤ）を備えた照明システムに関し、いくつかの実施態様は、ＬＥＤランプパッケージに関する。
【背景技術】
【０００２】
ＬＥＤは、広く使用されているデバイスであり、電流が供給されたときに点灯することができる。典型的には、ＬＥＤはアノードとカソードを有する半導体ダイオードで形成される。理想的なダイオードは、理論上は一方向にのみ電流を伝導する。アノードとカソードとの間に十分な順方向のバイアス電圧が印加されると、通常の電流がダイオードを流れる。ＬＥＤに順方向電流が流れると、フォトンが正孔と再結合し、光の形態を成すエネルギーを放出することができる。
【０００３】
ある種のＬＥＤから放射された光は、可視波長スペクトルに属する。半導体材料を適切に選択することによって、例えば赤、青、又は緑のような一定の色（例えば波長）を放射するように、個々のＬＥＤを製作することができる。
【０００４】
ＬＥＤは一般に、従来の半導体ダイ上に作製することができる。個々のＬＥＤは、他の回路機構と一緒に同一ダイ上に組み込んでもよいし、個別の単品部品としてパッケージにしてもよい。ＬＥＤ半導体エレメントを収容するパッケージは、典型的には、光がパッケージから出射できるように、透明な窓を備えている。
【発明の概要】
【課題を解決するための手段】
【０００５】
照明製品を再利用可能にパッケージするための装置及び方法は、電気ランプを収容する容器本体と、その容器への封止及び非封止を反復して行うことが可能なカバーとを設けることを含む。具体例として、ランプは、実質的に容器本体の底部内面上の、ランプの位置決め構造部によって実質的に容器本体内で位置決めされたＡＣ電源ＬＥＤランプとすることができる。いくつかの実施形態では、蓋が容器本体に取り付けられたとき、ランプをランプの位置決め構造部にしっかりと保持するように構成された突出構造部を蓋の内面に設けてもよい。種々の実施形態において、容器の本体及び容器の蓋は、キットとして販売することのできる保護パッケージを構成することができ有利であり、更に、例えば、ランプのパッケージに関連する、環境上の設置面積を実質的に低減することが可能な、耐久性が高く、再利用が可能な汎用の容器のシステムを提供することができる。
【０００６】
いくつかの例において、装置及び関連の方法は、ＬＥＤランプアセンブリを、単独で又はキットとして再利用可能なパッケージの形で含むことができる。具体例において、ねじ式の蓋付きの再利用可能な容器は、ＬＥＤランプを収容することができる。いくつかの例において、容器は透明にすることができ、平面上で３６０度からＬＥＤランプアセンブリの、目視による検査を可能にする。いくつかの例において、その容器は、実質的に主としてリサイクル材料から形成することができる。容器の種々の実施態様では、例えば小売店の棚に容易に陳列できるように、同様の容器との積み重ねが可能なものとすることができる。
【０００７】
種々の実施態様は、１つ又は複数の利点を達成することができる。例えば、いくつかの実施態様は、実質的に、小売用にパッケージ化されたＬＥＤのコスト、寸法、部品点数、重量を削減し、および／又は信頼性を向上することができる。種々の実施形態は、カーボンフットプリント及び廃水、有害化学物質の使用量、並びに／又はライフサイクルにわたるエネルギーの消費量の大幅な削減を達成することができる。例えば、パッケージは、多種多様な小型の物品用の容器として、容易に再利用することができる。いくつかの例において、パッケージ化されたキットの１つ又は複数の部品は、実質的に生分解可能なものとすることができる。
【０００８】
いくつかの実施態様では、熱管理性能及び構造体の高度化、製造工程の簡易化及び低コスト化、並びに／又は部品の少数化を実現するように、ＬＥＤランプを構成することが有利である。個々の例において、ＬＥＤランプは、ＧＵ１０又はＰＡＲ３０のフォームファクタの形にすることができるが、これらに限定されない。
【図面の簡単な説明】
【０００９】
【図１】ＧＵ１０フォームファクタの例示のＬＥＤランプの構造及び構成を示した図である。
【図２】ＧＵ１０フォームファクタの例示のＬＥＤランプの構造及び構成を示した図である。
【図３】ＧＵ１０フォームファクタの例示のＬＥＤランプの構造及び構成を示した図である。
【図４】ＧＵ１０フォームファクタの例示のＬＥＤランプの構造及び構成を示した図である。
【図５】ＧＵ１０フォームファクタの例示のＬＥＤランプの構造及び構成を示した図である。
【図６】ＧＵ１０フォームファクタの例示のＬＥＤランプの構造及び構成を示した図である。
【図７】ＧＵ１０フォームファクタの例示のＬＥＤランプの構造及び構成を示した図である。
【図８】ＧＵ１０フォームファクタの例示のＬＥＤランプの構造及び構成を示した図である。
【図９】ＧＵ１０フォームファクタの例示のＬＥＤランプの構造及び構成を示した図である。
【図１０】キットとして構成された例示のパッケージ及びＧＵ１０フォームファクタのＬＥＤランプを示した図である。
【図１１】キットとして構成された例示のパッケージ及びＧＵ１０フォームファクタのＬＥＤランプを示した図である。
【図１２】キットとして構成された例示のパッケージ及びＧＵ１０フォームファクタのＬＥＤランプを示した図である。
【図１３】キットとして構成された例示のパッケージ及びＧＵ１０フォームファクタのＬＥＤランプを示した図である。
【図１４】ＰＡＲ３０フォームファクタの例示のＬＥＤランプの構造及び構成を示した図である。
【図１５】ＰＡＲ３０フォームファクタの例示のＬＥＤランプの構造及び構成を示した図である。
【図１６】ＰＡＲ３０フォームファクタの例示のＬＥＤランプの構造及び構成を示した図である。
【図１７】ＰＡＲ３０フォームファクタの例示のＬＥＤランプの構造及び構成を示した図である。
【図１８】ＰＡＲ３０フォームファクタの例示のＬＥＤランプの構造及び構成を示した図である。
【図１９】ＰＡＲ３０フォームファクタの例示のＬＥＤランプの構造及び構成を示した図である。
【図２０】ＰＡＲ３０フォームファクタの例示のＬＥＤランプの構造及び構成を示した図である。
【図２１】キットとして構成された例示のパッケージ及びＰＡＲ３０フォームファクタのＬＥＤランプを示した図である。
【図２２】キットとして構成された例示のパッケージ及びＰＡＲ３０フォームファクタのＬＥＤランプを示した図である。
【図２３】キットとして構成された例示のパッケージ及びＰＡＲ３０フォームファクタのＬＥＤランプを示した図である。
【図２４】キットとして構成された例示のパッケージ及びＰＡＲ３０フォームファクタのＬＥＤランプを示した図である。
【発明を実施するための形態】
【００１０】
種々の実施形態の細部は、付属図面及び以下の説明中に記載されている。他の特徴及び利点は、それら説明及び図面、並びに請求項から明らかになるであろう。
【００１１】
諸図面において類似する参照記号は、類似のエレメントを指している。
【００１２】
図１〜９は、ＧＵ１０フォームファクタの例示のＬＥＤランプの構造及び構成を示している。図１および２は、例示のＬＥＤランプ１００の斜視図を示している。ランプ１００は、基台１０５と、端子対１１０と、本体１２０と、レンズ１２５とを備える。本体１２０とレンズ１２５とで、中にＬＥＤを配置できる光チャンバを形成している。その端子対を電源（例えば、ＡＣ、ＤＣ電圧又は電流）に接続すると、ＬＥＤは光を発生して応じることができる。本体１２０内のリフレクタは、概して、ＬＥＤからの光を、実質的にレンズ１２５から外方向に向けることができる。
【００１３】
図３Ａは、ランプ１００においてライトエンジンの一部を形成することができるプリント基板（ＰＣＢ）アセンブリ上に配置された、例示のＬＥＤを示している。サブアセンブリ３００は、ＬＥＤパッケージ３０５と、基板３１０とを備える。基板３１０は、例えばライトエンジンを形成するために、駆動回路機構及び／又は電源装置への接続部を備えることができる。具体例において、基板３１０は、ＬＥＤ３０５と協働してライトエンジンとして動作するための回路機構を備えることができる。いくつかの例において、基板３１０は、ＬＥＤパッケージ３０５から熱拡散エレメントへの、実質的な熱伝導の機能を果たすことができる。具体例において、基板３１０は、熱伝導を促進するために、実質的に熱インピーダンスを低くする金属層を備えることができる。いくつかの実施形態では、アルミニウムで裏打ちされたプリント基板（ＰＣＢ）を基板３１０として使用して、アセンブリ３００を実現することができる。そのＰＣＢは、ＬＥＤパッケージの端子又は熱伝導パッドへの表面実装接続を形成するために、例えば金属（例えば銅）で満たされた領域及び／又は金属の線を備えることができる。金属で満たされた領域は、光チャンバ内の光の、レンズ１２５の方向への反射を促進するように、実質的に反射面を提供することができる。
【００１４】
描かれている本例の基板３１０は、一対の切欠き３１５を含んでいる。いくつかの例において、切欠き３１５は、例えば、ＬＥＤパッケージ３０５と駆動回路及び／又は電源装置との間を電気的に接続するチャネルを提供することができる。いくつかの構成において、切欠き３１５は、アセンブリ３００を基台１０５に装着する固定具（例えば、ねじ、クリップ、リベット）を受けることができる。
【００１５】
図３Ｂは、熱拡散エレメント（図示省略）とＬＥＤパッケージ底部との間の熱的接続を形成する例示の装置３５０を示している。例示の装置３５０と熱的に接続される熱拡散エレメントの例は、少なくとも図５を参照して説明される。図１において、装置３５０は更に、ＬＥＤパッケージ３０５と基台１０５の端子１１０との間の電気接続も形成することができる。
【００１６】
本例では、柔軟な回路が、端子１１０とＬＥＤパッケージ３０５の電気端子との間の電気接続を提供する。装置３５０は、ＬＥＤパッケージ３０５の端子への電気接続を形成するための基部側接触部群を有する絶縁フィルム３５５によって形成された柔軟な回路と、その基部側接触部群から絶縁フィルム３５５上の末端側接触部群への電流経路を提供する導電層３６０と、絶縁フィルム３５５の反対側の第２の絶縁フィルム３６５とを備える。その末端側接触部群は、例えば基台１０５の例えば駆動回路に対する電気的インターフェースを形成することができる。或いは、入力端子１１０へのコネクタ境界部に対して直接的に電気的インターフェースを形成することができる。末端側接触部群は、基板３１０内のスロット（図示省略）に挿入することができる。このスロットは、切欠き３１５相互間で基板３１０の周辺領域沿いに設置することができる。
【００１７】
いくつかの実施形態では、柔軟な回路のアセンブリ（３５５〜３６５）の一部は、ＬＥＤパッケージ３０５の下に開口部を形成している環状又は他の形状とすることができる。その開口部に、図示する例のように、金属スラグ３７０の盛り上がった中央部を入れることができる。この金属スラグ３７０は、ＬＥＤパッケージの底面と、実質的に、熱的接触を形成し、又は熱的に接続することができる。熱エネルギーは、ＬＥＤパッケージから、例えばその金属スラグに直接接触する固定具（例えば、ねじ、クリップ）に伝わることができる。熱エネルギーは、ＬＥＤから、金属スラグを経由して、図５の一実施形態に示す熱伝導性シェルに伝えることができる。その熱伝導性シェルは、ＬＥＤ用ヒートシンクとして、実質的に熱エネルギーを拡散させる働きをすることができる。
【００１８】
図４は、部分的に組み立てられたランプを示しており、基台１０５に実装されたサブアセンブリ３００を含んでいる。基台１０５内部に、ＬＥＤパッケージ３０５と端子１１０との間にあらかじめ電気接続がなされていてもよい。例えば、図３Ｂにあるようないくつかの実施形態では、組み立てるのに、ＬＥＤパッケージ３０５と端子対１１０との間を電気的に接続するためのはんだ付けは必要とされない。
【００１９】
図５は、例えばほぼ放物面状に形成されたシェル５０５を使って、熱的に制御されたＬＥＤランプの動作を提供する例示のアセンブリ５００を示している。いくつかの構成において、シェル５０５は、例えば、熱伝導性で、陽極酸化処理され、および／又は打抜きされた金属（例えばアルミニウム）で形成することができる。いくつかの例において、シェル５０５は、図示した例のように、アレイ状に配置された、リフレクタへ空気が流れるのを可能にする、相当数の穿孔を有する。シェル５０５の開口部は、実質的にあらゆる半径方向からの気流も受け入れるように配置されている。これにより、広範囲にわたるランプの向きにおいて（例えば、ダウンライト、壁面照明、水平向き、等）、対流を促進することができる。シェル５０５は、ランプの径方向の向きとは無関係に熱を伝達する対流性の気流を考慮して、実質的な熱インピーダンスの低下を生じさせることができ、それによって、ＬＥＤから熱を外に放出するための熱拡散器としての性能の効率が高められ、有利である。
【００２０】
図６および７は、更に組立てが進んで、リフレクタ６０５及び基台１０５に結合されたシェル５０５を示している。具体例において、リフレクタ６０５は、シェル５０５の末端側端部に接着して結合することができる。他のいくつかの例において、リフレクタ６０５は、シェル５０５の末端側端部に係合し接触を維持するための、１つ又は複数のスナップ構造を備えることができる。説明のために、基台１０５の内側の更に細部を明示するために、アセンブリ３００及びレンズの図示は省略している。
【００２１】
図示されたアセンブリ６００において、シェル５０５は、一対の装着タブ６１０を備える。これらのタブは、実質的に同一平面上にあり、シェル５０５の内側に曲げられている。基台１０５と一体になっている、対応するねじが切られた一対のシリンダ６１５はそれぞれ、対応する装着タブ６１０上の開口部と位置が合った、ねじが切られた開口部を有している。完成したアセンブリにおいて、１本又は２本のねじを挿入して、基板３１０の切欠き３１５を貫通させ、且つタブ６１０の開口部を貫通させ、シリンダ６１５のねじに係合させることができる。このように、１本又は２本のねじを使ってアセンブリ３００、基台１０５、及びシェル５０５を堅固に組み立てて、ライトエンジンを形成することができる。
【００２２】
図７は、リフレクタ６０５と、シェル５０５と、ＬＥＤパッケージ３０５を有するアセンブリ３００とを備えた、例示のサブアセンブリの斜視図を示している。
【００２３】
図８は、アセンブリ３００に結合された例示のレンズを示している。図示されたように、レンズ８０５は、実質的に均一な屈折率を有する実質的に透明なプラスチック材料又はガラス材料で形成することができる。いくつかの構成において、レンズ８０５は、所望のビームパターンを形成できる屈折率分布型（ＧＲＩＮ）レンズで形成することができる。レンズ８０５は、実質的に拡散機能を発揮する構造を備え、これにより、より均一な光の分布を得ることができ有利である。
【００２４】
図９は、透明レンズに結合されたリフレクタを備えた例示のサブアセンブリの側面図を示している。図示されたアセンブリ９００は、アセンブリ３００の中にＬＥＤパッケージ３０５を備える。アセンブリ３００は、端子１１０を有する基台１０５に装着されている。リフレクタ６０５は、レンズ８０５の末端側端部を延長した部分にあり、実質的な反射面を提供している。いくつかの実施形態では、リフレクタ６０５は、レンズ８０５の末端側端部付近の光を、光チャンバの外側に向けるのに役立てることができる。理解を助けるために、内部構造の配置を明示するために、実質的なヒートシンクの機能を果たしているシェル５０５を取り除いている。
【００２５】
図１０〜１３は、キットとして構成されたパッケージ及びＧＵ１０フォームファクタの例示のＬＥＤランプを示している。種々の例において、そのキットは、再利用可能な蓋付きの容器を備え、エネルギー効率が高いランプ用のパッケージとして機能できる。その容器は、ランプが取り外された後で種々の用途に再利用することができる。いくつかの例において、使用済みランプを保護した形で収容して廃棄処理施設へ輸送するのに、そのパッケージを活用することができる。
【００２６】
具体例において、パッケージは、倉庫での保管、配送、及び小売販売の間に、水銀不使用のＬＥＤランプを収容できる。例えば、ＬＥＤランプを収容している容器を小売店の棚に上下に積み重ねることができ、透明な容器壁を通じて顧客に全側面からＬＥＤランプを眺めさせ得る。例えば蛍光灯のような水銀を含有する電球に置き換えるために、容器からＬＥＤランプを取り外すことができる。水銀を含有する電球を破損から防止するために、その蛍光灯を容器内に保護するように格納し、有害な廃棄物の施設で取り外されるまで、再封止された蓋で封止しておくことができる。
【００２７】
図１１および１２から明らかであるように、キットは、底部の位置決め構造部を一体的に形成する例示の円環を備える。これらの位置決め構造部は、ＬＥＤランプの基台１０５から延びている端子１１０の位置決めを実質的に促進することができる。
【００２８】
図１１は、透明容器本体及び不透明な蓋を有する例示のキットを示しており、容器の底部上に位置決め構造部が示されている。図示するように、再封止可能な蓋１１０５は、容器本体１１１０に密閉するように係合されている。容器本体１１１０と蓋１１０５とが協働して、ランプ１１１５を位置決めしている。ランプ１１１５の向きは概ね、ランプ１１１５の端子対を取り巻いている円環状の位置決め構造部１１２０によって、部分的に調整されている。
【００２９】
図１２は、透明な容器の蓋及び透明な本体を有する例示のキットを示している。この例では、蓋１１０５によって、蓋１１０５を容器本体１１１０に取り外し可能に固定する、水平に向けられた互いに対応する構造部の間の係合状態が見えるようになっている。
【００３０】
図１３は、ランプを収容している容器本体に取り付ける蓋の準備が整った状態の、例示のキットを示している。個々の例において、図１３は、中央に配置され、蓋の底面からＬＥＤランプの頂部面に向けて下方に延びている部分球を形成している、頂部の位置決め構造部１３０５を有する例示のパッケージを示している。この部分球は、実質的に水平に向けられた互いに対応する構造部同士を係合させるように蓋が回転させられて容器本体に係合されると、頂部の位置決め構造部１３０５は、ＬＥＤランプの上面１３１０に実質的に近接する位置に進む。頂部の位置決め構造部１３０５と上面１３１０とを係合させると、底部の位置決め構造部１１２０が端子を収容することと相まって（図１１に示すように）、ランプの向き及び中心を、実質的に容器本体１１１０の垂直中心軸に沿って合わせることができる。
【００３１】
図１４〜２０は、ＰＡＲ３０フォームファクタの例示のＬＥＤランプの構造及び構成を示している。図１４〜１５は特に、ＰＡＲ３０型のランプの用途と互換性のある例示のランプの側部斜視図及び底部斜視図をそれぞれ示している。
【００３２】
図示する例において、ランプ１４００は、電気的インターフェース１４１０と本体との間に結合された基台１４０５を備える。その本体は、基台１４０５に結合するとともに、ライトエンジンと光チャンバの諸コンポーネントを収容する熱拡散器１４１５とを備える。そのライトエンジンは光を生成するが、その光は、レンズ１４２０を介して放射される。レンズ１４２０は、固定リング１４２５によって熱拡散器１４１５の末端側端部に固定されている。いくつかの例において、この固定リングは、回転させて、例えば熱拡散器１４１５上の掛止構造部に係合させることができる。
【００３３】
図１６〜１７は、例示のライトエンジンを示している。この例では、ＬＥＤ１６０５は、対応する熱拡散フレーム枠１６１０に実装されている。ＬＥＤ１６０５から一対の伝熱フィン１６１５が延びており、外気温度への熱インピーダンスを下げている。
【００３４】
図１７において、例示のライトエンジン１７００は、各々が熱拡散フレーム枠１６１０を有する多数のＬＥＤ１６０５であって、実質的に円形で放射状のパターンのＰＣＢ全域で、例示のパターンに分散されたＬＥＤを備える。各ＬＥＤ１６０５は、サブアセンブリ上に配置されている。このサブアセンブリは、ＰＣＢの下に延びてＰＣＢの下の領域に熱容量と表面積を提供する伝熱フィン１６１５を備える。
【００３５】
ＬＥＤエンジンをＰＣＢ上に配置した実施形態は、例えば、２００９年２月１３日にＺ．Ｇｒａｊｃａｒによって出願された「発光ダイオードアセンブリ及び方法」なる名称の米国仮特許出願第６１／１５２，６７０号の少なくとも図６を参照して説明されている。この出願は、参照することにより全体が本明細書に組み込まれている。
【００３６】
図１８〜２０は、電力を取り込んでＬＥＤに給電する例示の電気ソケット１８０５を示している。いくつかの例において、電気ソケット１８は、配線ハーネス、柔軟な回路、又は固定具（例えばねじ）を通じてＰＣＢと結合している。
【００３７】
図１８は更に、ＬＥＤ１６０５を使って完全に埋め尽くされた例示のＬＥＤエンジン１８１０を示している。穿孔されたシェル１８１５によって、ライトエンジン１８１０のＰＣＢの下に延びた伝熱フィン１６１５を横切って、又はその周囲を回って実質的に空気が流れることが可能になっている。穿孔されたシェル１８１５は、例えばランプが実質的に任意の方向に向けられた状態で、対流による伝熱フィン１６１５との熱交換を生じさせる空気の流れを可能にする。いくつかの実施形態では、ライトエンジン１８１０は、熱伝導経路によって、熱を伝導する穿孔シェル１８１５への実質的な熱的結合を提供してもよい。記載されたコンポーネントをより明確に図解するために、シェル１８１５をソケット１８０５に接続する基台は、図示を省略している。
【００３８】
図１９は、シェル１８１０の末端側端部にレンズ１９０５が実装される、例示の中間組立てステップを示している。
【００３９】
図２０は、ランプにレンズ１９０５を固定することが可能な、例示の固定リング２００５を示している。
【００４０】
図２１〜２４は、キットとして構成された例示のパッケージ及びＰＡＲ３０フォームファクタのＬＥＤランプを示している。
【００４１】
図２１〜２２は、蓋の底面にある例示の頂部の位置決め構造部を示している。この例では、キット２１００は、ＰＡＲ３０型ランプに合わせてサイズを設定されていてよい容器２１０５と、蓋２１１０と、頂部の位置決め構造部２１１５とを備える。位置決め構造部２１１５は、例えば、パッケージ内部でのランプの垂直移動を制約することができる。これにより、出荷時又は取扱い時のランプの損傷を防止することができ有利である。図示する例において、環状の構造部は、蓋の底面から下方向に延びて、ＰＡＲ３０ランプの上面（例えばレンズ）に接触又は近接している。位置決め構造部とランプとの間の境界部は、ランプが蓋の方に加速されること（例えば、棚から落下したとき）に起因するランプの垂直方向のあらゆる力を分散させることによって、ランプを損傷から実質的に保護することができる。
【００４２】
図２３〜２４は、容器の内側底面から延びている例示の底部の位置決め構造部を示している。この例では、容器本体２１０５は、例えば、ＰＡＲ３０ランプのソケット１８０５の少なくとも一部を拘束して位置決めするように構成された、底部の位置決め構造部２３０５を備える。底部の位置決め構造部２３０５は、頂部の位置決め構造部２１１５及び容器本体２１０５の側壁と協働して、容器本体２１０５内部において、ランプの向きを実質的に定めることができ、ランプの実質的な位置合わせの不良を防止することができる。パッケージの上記の構造部は、パッケージ内部において、ＬＥＤランプを、実質的に垂直な向きに且つ一定の位置に維持するように協働することができる。更に、それらの位置決め構造部は、当該パッケージにＬＥＤランプを高い信頼性で自動的に挿入することを簡単にする構造部を提供することによって、自動パッケージ化を促進することができ有利である。
【００４３】
図面を参照して種々の実施形態について説明してきたが、他の実施形態も可能である。例えば、種々の開示の構成上の構造物又は構成方法は、ＬＥＤランプ以外の、ＧＵ１０フォームファクタ又はＰＡＲ３０フォームファクタの照明装置又は光学装置に適用することができる。
【００４４】
種々の例において、キットは、再閉止が可能な蓋を有する容器と、ＬＥＤランプとを備えることができる。いくつかの例において、キットは更に、パッケージ又はランプに機械的に結合された一連の手引き書又は説明書を備えることができる。手引き書は、ランプの適切な操作方法に関する情報を含むことができる。例として、手引き書は、入力パワー（例えば、電圧、電流、又は周波数）、出力パワー若しくは出力強度、ランプ温度仕様、及び／又は互換性のあるランプ収容用固定具の仕様を含むことができる。
【００４５】
一部の実施形態は、少なくとも１つの同様のパッケージを積み重ねることができる寸法の、中央が窪んだ上面領域を有する蓋を使って構成することができる。例えば、透明容器は、少なくとも５，６，７，８，９，又は少なくとも約１０の容器を高く積み重ねて、任意の方向からＬＥＤランプを見せることができる。したがって、中に収容されているランプを見えにくくすることなく、パッケージの向きを任意の方向とすることができる。
【００４６】
種々の例において、少なくとも容器本体は、水平面の全３６０度を含め、任意の方向からＬＥＤランプを視認できるように、一部又は全部が透明である。いくつかの例において、パッケージ上端部から検査できるように、パッケージの蓋も透明とすることができる。
【００４７】
いくつかの実施形態では、パッケージ及び／又は熱管理器具などの他のエレメントと一緒に集積化した構成とすることができる。本明細書に記載の実施形態と一緒に有利に集積化できる他のエレメントの例は、例えば、２００８年１１月１９日にＺ．Ｇｒａｊｃａｒによって出願された米国特許出願公開第２００９／０１８５３７３号の図１５を参照することにより全体が本明細書に援用される。
【００４８】
いくつかの例において、パッケージの頂部の位置決め構造部は、レンズに擦り傷もかき傷もつけることなくランプ上端部を押圧するために、ポリプロピレン又は他の適度に柔軟な材料で形成することができる。
【００４９】
いくつかの実施形態では、容易に複数の容器筐体を上下に積み重ねられるように、蓋の上端の外面を、容器筐体の底部外面上の対応する環状の突起を受け入れ、その位置を合わせるような大きさ及び形状になった少なくとも１つの環状で水平方向の平坦な面を備えるように形成することができる。蓋は、容器本体の底部のうちの、その蓋の上端部に積み重ねる部分を取り込む中央のポケットを形成する円環を備えることができる。いくつかの例において、容器筐体の底部の周辺部は、少なくとも、蓋の上面の内径よりも小さくなっていなければならない。
【００５０】
種々の実施形態において、パッケージ容器は、実質的に生分解可能な材料で作製することができる。例えば、パッケージは、でんぷん系素材で作製することができる。いくつかの例は、生分解性を促進するプラスチックへの添加物を含むことができる。適切な材料の例としては、オーストラリア国、ウィンマリーのＢｉｏ−Ｔｅｃ  Ｅｎｖｉｒｏｎｍｅｎｔａｌ社から市販されているＥＣＯＰＵＲＥ（商標）を挙げることができる。
【００５１】
いくつかの構成について説明してきたが、種々の改良を行い得ることは、理解されるであろう。例えば、開示した技術の諸ステップを異なる順番で実施すれば、または、開示したシステムの諸コンポーネントを異なる態様で組み合わせれば、或いは、それらのコンポーネントに他のコンポーネントを補充すれば、有利な結果を達成できる場合がある。したがって、他の構成も予期されているものである。
【図１】
2013503453.tif 000003
【図２】
2013503453.tif 000004
【図３Ａ】
2013503453.tif 000005
【図３Ｂ】
2013503453.tif 000006
【図４】
2013503453.tif 000007
【図５】
2013503453.tif 000008
【図６】
2013503453.tif 000009
【図７】
2013503453.tif 000010
【図８】
2013503453.tif 000011
【図９】
2013503453.tif 000012
【図１０】
2013503453.tif 000013
【図１１】
2013503453.tif 000014
【図１２】
2013503453.tif 000015
【図１３】
2013503453.tif 000016
【図１４】
2013503453.tif 000017
【図１５】
2013503453.tif 000018
【図１６】
2013503453.tif 000019
【図１７】
2013503453.tif 000020
【図１８】
2013503453.tif 000021
【図１９】
2013503453.tif 000022
【図２０】
2013503453.tif 000023
【図２１】
2013503453.tif 000024
【図２２】
2013503453.tif 000025
【図２３】
2013503453.tif 000026
【図２４】
2013503453.tif 000027
【国際調査報告】
2013503453.tif 000028